(57)【要約】【課題】  弾性表面波デバイスを用いたＵＷＢ通信において、送信信号から直達波を除去し、良好な伝送特性を得ることができるＵＷＢ通信装置及びＵＷＢ通信方法を提供する。【解決手段】  弾性表面波デバイス２０が出力する直達波を検出し、データ判定の基準となる基準信号パルスとデータ信号パルスとからなるパルス列の時間幅に設定されたスイッチ制御信号を生成し、生成したスイッチ制御信号を直達波とパルス列の時間差分遅延させ、スイッチ制御信号入力時から当該制御信号に設定された時間幅だけ、弾性表面波デバイス２０から入力する直達波及びパルス列からなる送信信号を出力して通信を行う。【選択図】  図１
2005217926.tif 000002
【特許請求の範囲】
【請求項１】
弾性表面波デバイスを用いて、データ判定の基準となる基準信号パルスとデータ信号パルスとからなるパルス列を出力するＵＷＢ通信装置において、
前記弾性表面波デバイスが出力する直達波を検出する直達波検出手段と、
前記直達波検出手段から検出信号を入力して、前記パルス列の時間幅に設定されたスイッチ制御信号を出力するタイマと、
前記直達波と前記パルス列の時間差分、前記スイッチ制御信号を遅延させる遅延手段と、
前記遅延手段により遅延されたスイッチ制御信号を入力して、前記弾性表面波デバイスから入力する直達波及びパルス列からなる送信信号を前記時間幅だけ出力するスイッチ手段と
を具備することを特徴とするＵＷＢ通信装置。
【請求項２】
周期パルスを生成し、該周期パルスを第１の弾性表面波デバイスに出力するとともに、送信データが２値論理レベルの第１のレベルのとき、前記周期パルスを第２の弾性表面波デバイスに出力し、送信データが２値論理レベルの第２のレベルのとき、前記周期パルスを第３の弾性表面波デバイスに出力する遅延時間制御手段と、
前記周期パルスが入力されると、前記基準信号パルスを出力する前記第１の弾性表面波デバイスと、
前記周期パルスが入力されると、前記基準信号より所定の時間だけ早く第１のデータ信号パルスを出力する前記第２の弾性表面波デバイスと、
前記周期パルスが入力されると、前記基準信号パルスより所定の時間だけ遅く第２のデータ信号パルスを出力する前記第３の弾性表面波デバイスと、
前記第１から第３の弾性表面波デバイスの出力を加算する加算手段と
を備え、
前記直達波検出手段は、前記第１の前記弾性表面波デバイスが出力する直達波を検出し、
前記スイッチ手段は、前記遅延手段により遅延されたスイッチ制御信号を入力して、前記加算手段から入力する直達波及びパルス列からなる送信信号を前記時間幅だけ出力する
ことを特徴とする請求項１に記載のＵＷＢ通信装置。
【請求項３】
前記直達波検出手段は、前記弾性表面波デバイスが出力する送信信号の出力電力が所定の閾値を超えたか否かに基づいて直達波を検出する
ことを特徴とする請求項１又は請求項２に記載のＵＷＢ通信装置。
【請求項４】
弾性表面波デバイスを用いたＵＷＢ通信装置が、データ判定の基準となる基準信号パルスとデータ信号パルスとからなるパルス列を出力して通信を行うＵＷＢ通信方法において、
前記弾性表面波デバイスが出力する直達波を検出し、
直達波検出信号を入力して、前記パルス列の時間幅に設定されたスイッチ制御信号を出力し、
前記直達波と前記パルス列の時間差分、前記スイッチ制御信号を遅延させ、
前記遅延されたスイッチ制御信号を入力して、前記弾性表面波デバイスから入力する直達波及びパルス列からなる送信信号を前記時間幅だけ出力する
ことを特徴とするＵＷＢ通信方法。
【請求項５】
周期パルスを生成し、該周期パルスを第１の弾性表面波デバイスに出力し、
送信データが２値論理レベルの第１のレベルのとき、前記周期パルスを第２の弾性表面波デバイスに出力し、
送信データが２値論理レベルの第２のレベルのとき、前記周期パルスを第３の弾性表面波デバイスに出力し、
前記周期パルスが入力されると、前記第１の弾性表面波デバイスが、データ判定の基準となる基準信号パルスを出力し、
前記周期パルスが入力されると、前記第２の弾性表面波デバイスが、前記基準信号より所定の時間だけ早く第１のデータ信号パルスを出力し、
前記周期パルスが入力されると、前記第３の弾性表面波デバイスが、前記基準信号パルスより所定の時間だけ遅く第２のデータ信号パルスを出力し、
前記第１の前記弾性表面波デバイスが出力する直達波を検出し、
直達波検出信号を入力して、前記パルス列の時間幅に設定されたスイッチ制御信号を出力し、
前記直達波と前記パルス列の時間差分、前記スイッチ制御信号を遅延させ、
前記遅延されたスイッチ制御信号を入力して、前記第１から第３の弾性表面波デバイスの出力を加算した直達波及びパルス列からなる送信信号を前記時間幅だけ出力する
ことを特徴とするＵＷＢ通信方法。
【請求項６】
前記弾性表面波デバイスが出力する送信信号の出力電力が所定の閾値を超えたか否かに基づいて直達波を検出する
ことを特徴とする請求項４又は請求項５に記載のＵＷＢ通信方法。
【発明の詳細な説明】
【技術分野】
【０００１】
本発明は、弾性表面波（ＳＡＷ）デバイスを用いたＵＷＢ（Ｕｌｔｒａ Ｗｉｄｅ Ｂａｎｄ）通信装置に関する。
【背景技術】
【０００２】
従来、弾性表面波デバイスにおける直達波の伝搬を防ぐためのフィルタ接続方法が知られている。例えば、特許文献１に記載の発明によれば、弾性表面波デバイスの多段接続構成において、弾性表面波デバイスを２段以上縦続に接続し、弾性表面波デバイスの各段間を結ぶ入出力信号の接続線の少なくとも一つをグランド電位へ接続することで、不平衡接続とする。このように構成することにより、デバイスの入力から出力への電気的な直達波の伝搬を防ぐことができる。
【特許文献１】特開２０００−１９６４１１号公報
【発明の開示】
【発明が解決しようとする課題】
【０００３】
ところで、近年、ＵＷＢ（Ｕｌｔｒａ Ｗｉｄｅ Ｂａｎｄ）を用いた無線アクセス方式やＵＷＢ通信装置の開発がさかんに行われている。パルスにデータを重畳させて伝送するもので、パルスがゆえに、瞬時電力でよいため、総電力が低下されるといったメリットと、高速データ伝送の可能性について、注目が集められている。
ＵＷＢ通信に関して、いくつかの変復調方式か提案されているが、そのうち、弾性表面波デバイスを用いた方式があり、出願人は、弾性表面波デバイスを変調回路として採用したＵＷＢ通信装置に関する出願（特願２００２−２６2６8０）を行っている。
【０００４】
弾性表面波デバイスを用いてパルス列を生成する場合、弾性表面波により生成されるパルス列以外にデバイス内部での高周波的な電磁結合による直達波の発生が問題となる。
直達波は、所望のパルス列に比べ振幅が大きく、不要波となってしまい、本来通信に必要なインバルス列の出力電力を規定値まで増幅することができなくなるという問題がある。
また、受信装置においては相関値出力を低下させる要因となり、伝送特性が大きく劣化するという問題がある。
【０００５】
本発明は、このような事情を考慮してなされたものであり、その目的は、弾性表面波デバイスを用いたＵＷＢ通信において、送信信号から直達波を除去し、良好な伝送特性を得ることができるＵＷＢ通信装置及びＵＷＢ通信方法を提供することにある。
【課題を解決するための手段】
【０００６】
この発明は上記の課題を解決すべくなされたもので、本発明は、弾性表面波デバイスを用いて、データ判定の基準となる基準信号パルスとデータ信号パルスとからなるパルス列を出力するＵＷＢ通信装置において、前記弾性表面波デバイスが出力する直達波を検出する直達波検出手段と、前記直達波検出手段から検出信号を入力して、前記パルス列の時間幅に設定されたスイッチ制御信号を出力するタイマと、前記直達波と前記パルス列の時間差分、前記スイッチ制御信号を遅延させる遅延手段と、前記遅延手段により遅延されたスイッチ制御信号を入力して、前記弾性表面波デバイスから入力する直達波及びパルス列からなる送信信号を前記時間幅だけ出力するスイッチ手段とを具備することを特徴とする。
【０００７】
また、本発明は、周期パルスを生成し、該周期パルスを第１の弾性表面波デバイスに出力するとともに、送信データが２値論理レベルの第１のレベルのとき、前記周期パルスを第２の弾性表面波デバイスに出力し、送信データが２値論理レベルの第２のレベルのとき、前記周期パルスを第３の弾性表面波デバイスに出力する遅延時間制御手段と、前記周期パルスが入力されると、前記基準信号パルスを出力する前記第１の弾性表面波デバイスと、前記周期パルスが入力されると、前記基準信号より所定の時間だけ早く第１のデータ信号パルスを出力する前記第２の弾性表面波デバイスと、前記周期パルスが入力されると、前記基準信号パルスより所定の時間だけ遅く第２のデータ信号パルスを出力する前記第３の弾性表面波デバイスと、前記第１から第３の弾性表面波デバイスの出力を加算する加算手段とを備え、前記直達波検出手段は、前記第１の前記弾性表面波デバイスが出力する直達波を検出し、前記スイッチ手段は、前記遅延手段により遅延されたスイッチ制御信号を入力して、前記加算手段から入力する直達波及びパルス列からなる送信信号を前記時間幅だけ出力することを特徴とする。
【０００８】
また、本発明は、前記直達波検出手段は、前記弾性表面波デバイスが出力する送信信号の出力電力が所定の閾値を超えたか否かに基づいて直達波を検出することを特徴とする。
【０００９】
また、本発明は、弾性表面波デバイスを用いたＵＷＢ通信装置が、データ判定の基準となる基準信号パルスとデータ信号パルスとからなるパルス列を出力して通信を行うＵＷＢ通信方法において、前記弾性表面波デバイスが出力する直達波を検出し、直達波検出信号を入力して、前記パルス列の時間幅に設定されたスイッチ制御信号を出力し、前記直達波と前記パルス列の時間差分、前記スイッチ制御信号を遅延させ、前記遅延されたスイッチ制御信号を入力して、前記弾性表面波デバイスから入力する直達波及びパルス列からなる送信信号を前記時間幅だけ出力することを特徴とする。
【００１０】
また、本発明は、周期パルスを生成し、該周期パルスを第１の弾性表面波デバイスに出力し、送信データが２値論理レベルの第１のレベルのとき、前記周期パルスを第２の弾性表面波デバイスに出力し、送信データが２値論理レベルの第２のレベルのとき、前記周期パルスを第３の弾性表面波デバイスに出力し、前記周期パルスが入力されると、前記第１の弾性表面波デバイスが、データ判定の基準となる基準信号パルスを出力し、前記周期パルスが入力されると、前記第２の弾性表面波デバイスが、前記基準信号より所定の時間だけ早く第１のデータ信号パルスを出力し、前記周期パルスが入力されると、前記第３の弾性表面波デバイスが、前記基準信号パルスより所定の時間だけ遅く第２のデータ信号パルスを出力し、前記第１の前記弾性表面波デバイスが出力する直達波を検出し、直達波検出信号を入力して、前記パルス列の時間幅に設定されたスイッチ制御信号を出力し、前記直達波と前記パルス列の時間差分、前記スイッチ制御信号を遅延させ、前記遅延されたスイッチ制御信号を入力して、前記第１から第３の弾性表面波デバイスの出力を加算した直達波及びパルス列からなる送信信号を前記時間幅だけ出力することを特徴とする。
【００１１】
また、本発明は、前記弾性表面波デバイスが出力する送信信号の出力電力が所定の閾値を超えたか否かに基づいて直達波を検出することを特徴とする。
【発明の効果】
【００１２】
以上説明したように、本発明によれば、弾性表面波デバイスを用いたＵＷＢ通信装置が、弾性表面波デバイスが出力する直達波を検出し、データ判定の基準となる基準信号パルスとデータ信号パルスとからなるパルス列の時間幅に設定されたスイッチ制御信号を生成し、生成したスイッチ制御信号を直達波とパルス列の時間差分遅延させ、スイッチ制御信号入力時から当該制御信号に設定された時間幅だけ、弾性表面波デバイスから入力する直達波及びパルス列からなる送信信号を出力して通信を行う。
このように構成することで、弾性表面波デバイスから入力する送信信号のうち、直達波が存在する時間帯においては、スイッチが解放され、パルス列が存在する時間帯においては、スイッチが閉じられて送信信号が出力される。
したがって、送信信号から直達波が除去され、良好な伝送特性を得ることができる効果が得られる。
【００１３】
また、本発明によれば、データ判定の基準となる基準信号パルスを出力する第１の弾性表面波デバイスが出力する直達波を検出し、これに基づいて生成されたスイッチ制御信号を利用して、第１から第３の弾性表面波デバイスの出力を加算した直達波及びパルス列からなる送信信号をスイッチ制御信号入力時から当該制御信号に設定された時間幅だけ出力する。
このように構成することで、第２の弾性表面波デバイスから出力される直達波と、第３の弾性表面波デバイスから出力される直達波との間に、第１の弾性表面波デバイスから直達波が出力され、この出力タイミングが補足されて、弾性表面波デバイスから入力する送信信号のうち、複数の直達波が存在する時間帯においては、スイッチが解放され、パルス列が存在する時間帯においては、スイッチが閉じられて送信信号が出力される。
したがって、送信信号から直達波が除去され、良好な伝送特性を得ることができる効果が得られる。
【発明を実施するための最良の形態】
【００１４】
以下、本発明を実施するための最良の形態について説明する。
【実施例１】
【００１５】
以下、図面を参照して、本発明のＵＷＢ通信装置（送信側）の一実施形態について説明する。上述したように、弾性表面波デバイスを用いて、データ判定の基準となる基準信号パルスとデータ信号パルスとからなるパルス列を生成することで、ＵＷＢ通信を行う場合、弾性表面波により生成されるパルス列以外に、デバイス内部で高周波的な電磁結合による直達波が発生する。この弾性表面波デバイス内部での回路構成による直達波の低減には限界があり、外部回路を設けて直達波を抑制する必要がある。
図１は、本実施形態のＵＷＢ通信装置１の構成図であり、点線部内が新たに設けられる直達波抑制用外部回路部分を示す。本実施形態のＵＷＢ通信装置１は、パルス発生器１０、弾性表面波デバイス（ＳＡＷ  Ｄｅｖｉｃｅ）２０、直達波抑制用外部回路３０、増幅器４０（図示せず）、アンテナ５０（図示せず）とから構成される。
【００１６】
パルス発生器１０は、データ信号に対応するパルスを生成し、弾性表面波デバイス２０に出力する。
弾性表面波デバイス２０は、入力トランスデューサ内に複数のくし型電極（タップ）を有しており、パルス発生器１０からパルスを入力して、直達波及びパルス列からなる送信信号を直達波抑制用外部回路３０に出力する。具体的には、弾性表面波デバイス２０は、直達波に遅れて、入力トランスデューサ内に設けられた複数のタップよりパルス列を直達波抑制用外部回路３０に出力する。
直達波抑制用外部回路３０は、直達波検出回路３１、タイマ回路３２、遅延線路３３、高周波スイッチ３４から構成される。直達波抑制用外部回路３０に入力される送信信号は、直達波検出回路３１及び高周波スイッチ３４に出力される。
直達波検出回路３１は、弾性表面波デバイスが出力する直達波を検出する。具体的には、直達波検出回路３１は、弾性表面波デバイス２０から送信信号を入力し、当該送信信号の出力電力の値を監視し、閾値を超えたか否かに基づいて直達波を検出する。例えば、送信信号の出力電力が予め設定された閾値を超えた場合、この直達波のタイミングを補足し、直達波検出信号をタイマ回路３２に出力する。
この閾値は、既知の表面弾性波パルス列それぞれの出力電力よりも大きく、既知の直達波の出力電力よりも小さくなるように設定される。
【００１７】
タイマ回路３２は、直達波検出回路３１から検出信号を入力して、基準信号パルスとデータ信号パルスの組み合わせパルス列の時間幅に設定されたスイッチ制御信号を遅延線路３３に出力する。
遅延線路３３は、タイマ回路３２から入力するスイッチ制御信号を、直達波とパルス列の既知の時間差分、より具体的には、直達波検出タイミングからパルス列先頭部分までの時間差分だけ遅延させる。
高周波スイッチ３４は、遅延線路３３により遅延されたスイッチ制御信号を入力して、弾性表面波デバイス２０から入力する直達波及びパルス列からなる送信信号をスイッチ制御信号に設定された時間幅だけ出力する。
増幅器４０は、高周波スイッチ３４がＯＮ状態の時に入力される送信信号を増幅し、アンテナ５０に出力する。
アンテナ５０は、増幅器４０によって増幅された送信信号をＵＷＢ通信装置（受信側）１に送信する。
【００１８】
次に、本実施形態のＵＷＢ通信装置（送信側及び受信側）１の動作について説明する。
送信側のＵＷＢ通信装置１において、パルス発生器１０が生成したパルスが弾性表面波デバイス２０に入力されると、まず直達波が発生して、直達波抑制用外部回路３０に出力される。また、直達波に遅れて、入力トランスデューサ内に設けられた複数のタップよりパルス列が生成されて、直達波抑制用外部回路３０に出力される。
弾性表面波デバイス２０の出力（直達波、パルス列）は、直達波抑制用外部回路３０内において分岐され、直達波検出回路３１及び高周波スイッチ３４へ入力される。
上述したように、直達波検出回路３１には、直達波とパルス列を識別するための閾値が設定されており、弾性表面波デバイス２０の出力電圧と閾値を比較することで、直達波が入力されたタイミングを検出する。直達波を検出した場合、直達波検出回路３１は、直達波検出信号をタイマ回路３２に出力する。
【００１９】
ここで、直達波とパルス列の時間差およびパルス列全体の時間は、弾性表面波デバイスの設計により、既知の値をとる。そのため、タイマ回路３２の時間幅設定と遅延線路３３のタイミング設定で、スイッチ３４をパルス列の存在する時間だけ、ＯＮ状態とし、他の時間にはＯＦＦ状態とすることで、不要な直達波がスイッチ３４に到達するタイミングにおいては、スイッチがＯＦＦ状態となり、必要なパルス列がスイッチ３４に到達するタイミングにおいては、スイッチがＯＮ状態となるため、不要な直達波のみが排除され、パルス列が送信信号として増幅器４０に出力される。
具体的には、タイマ回路３２において、直達波検出回路３１から検出信号が入力され、基準信号パルスとデータ信号パルスの組み合わせパルス列の時間幅に設定されたスイッチ制御信号が生成され、遅延線路３３に出力される。スイッチ制御信号は、遅延線路３３において、直達波とパルス列の既知の時間差分だけ遅延され、高周波スイッチ３４に入力される。高周波スイッチ３４は、スイッチ制御信号を入力して、スイッチ制御信号入力時からスイッチ制御信号に設定された時間幅だけ、スイッチをＯＮ状態として、弾性表面波デバイス２０から入力する送信信号を増幅器４０に出力する。これにより、増幅器４０で増幅された送信信号がアンテナ５０から受信側のＵＷＢ通信装置１に送信される。
【００２０】
ＵＷＢ通信装置１の受信側においては、アンテナ５０で電波信号を受信し、弾性表面波デバイスに出力する。弾性表面波デバイスは、アンテナ５０からの信号を受け、ＰＮ符号が一致することで共鳴した場合、データ検出結果をデータ判定部に出力する。データ判定部は、この検出結果を受けて、データ信号の判定を行う。
このようにして、ＵＷＢ通信装置１の送信側と受信側の間で弾性表面波デバイスを変調回路として利用した通信が行われる。
【００２１】
以上説明したように、本実施形態のＵＷＢ通信装置１によれば、弾性表面波デバイスを用いた場合に発生する直達波を、データクロック等の複雑な構成を使用せずに、直達波自身をトリガとする回路で時間精度よく取り除くことができ、伝送特性を大幅に改善することができる。
【００２２】
なお、図１に示す構成図においては、各ブロックの具体的な回路構成について限定しなかったが、例えば、図２に示すような回路構成例が考えられる。ＵＷＢ通信におけるパルス幅は非常に短く、周波数領域では超広帯域となる。そのため、直達波検出回路３１やタイマ回路３２を構成する電圧比較器、フリップフロップには高速なデバイスを使用する。
また、分岐回路，スイッチは、広帯域な周波数特性を有するものが望ましい。分配器では、ウィルキンソン型分配器や方向性結合器等、スイッチではGaAsデバイスが用いられる。
【実施例２】
【００２３】
次に、図面を参照して、本発明のＵＷＢ通信装置（送信側）の第２の実施形態について説明する。上記実施例１では、弾性表面波デバイスと一対の回路構成を取っているが、特願２００２−２６２６８０で示されている複数の弾性表面波デバイスを用いる変調方式に対して、次のような応用が考えられる。
本実施形態のＵＷＢ通信装置１は、複数の弾性表面波デバイス２０−１〜３、遅延時間制御部５０、加算部６０をさらに有する点が、第１の実施例と異なる。以下、第１の実施例と異なる点について説明し、共通する点については説明を省略する。
遅延時間制御部５０は、パルス発生器１０が生成する周期パルスを入力し、送信データが２値論理レベルの第１のレベルのとき、周期パルスを弾性表面波デバイス２０−２に出力し、送信データが２値論理レベルの第２のレベルのとき、周期パルスを弾性表面波デバイス２０−３に出力する。
弾性表面波デバイス２０−１は、パルス発生器１０が生成する周期パルスを入力して、拡散符号ＰＮ０で符号化される基準信号パルスを出力する。
弾性表面波デバイス２０−２は、遅延時間制御部５０より周期パルスを入力して、基準信号より所定の時間だけ早く、拡散符号ＰＮ１で符号化されるデータ信号パルスを出力する。
弾性表面波デバイス２０−２は、遅延時間制御部５０より周期パルスを入力して、基準信号より所定の時間だけ遅く、拡散符号ＰＮ１で符号化されるデータ信号パルスを出力する。
加算回路６０は、弾性表面波デバイス２０−１〜３の出力を加算し、スイッチ３４に出力する。
【００２４】
また、上述した直達波検出回路３１は、弾性表面波デバイス２０−１が出力する直達波を検出する。
また、上述した高周波スイッチ回路３４は、遅延線路３３により遅延されたスイッチ制御信号を入力して、加算回路６０から入力する直達波及びパルス列からなる送信信号をスイッチ制御信号入力時からスイッチ制御信号に設定された時間幅だけ、スイッチをＯＮ状態として増幅器４０に出力する。
【００２５】
次に、本実施形態のＵＷＢ通信装置（送信側及び受信側）１の動作について説明する。
送信側のＵＷＢ通信装置１において、パルス発生器１０が生成したパルスが弾性表面波デバイス２０−１及び遅延時間制御部５０に入力されると、まず遅延時間制御部５０は、送信データを入力して、周期パルスを弾性表面波デバイス２０−２又は２０−３に出力する。例えば、遅延時間制御部５０は、この送信データが２値論理レベルの第１のレベルの場合、周期パルスを弾性表面波デバイス２０−２に出力し、送信データが２値論理レベルの第２のレベルの場合、周期パルスを弾性表面波デバイス２０−３に出力する。
弾性表面波デバイス２０−１と２０−２、または、２０−１と２０−３においては、まず直達波が発生して、弾性表面波デバイス２０−１からは直達波抑制用外部回路３０及び加算回路６０に出力される。また、弾性表面波デバイス２０−２、３において発生した直達波は、加算回路６０に出力される。弾性表面波デバイス２０−１と２０−２、又は、弾性表面波デバイス２０−１と２０−３が出力する直達波は、加算部６０において加算される。
【００２６】
一方、周期パルスが入力されると、直達波に遅れて、弾性表面波デバイス２０−１の入力トランスデューサ内に設けられた複数のタップよりデータ判定の基準となる基準信号パルスを出力する。また、弾性表面波デバイス２０−２も、周期パルスが入力されると、入力トランスデューサ内に設けられた複数のタップより、基準信号パルスより所定の時間だけ早くデータ信号パルスを出力する。同様に、弾性表面波デバイス２０−３は、周期パルスが入力されると、入力トランスデューサ内に設けられた複数のタップより、基準信号パルスより所定の時間だけ遅くデータ信号パルスを出力する。
弾性表面波デバイス２０−１と２０−２、又は、弾性表面波デバイス２０−１と２０−３が出力する基準信号パルス及びデータ信号パルスは、加算部６０において加算される。
加算部６０が出力する加算信号（直達波、パルス列）は、高周波スイッチ３４へ入力される。
上述したように、直達波検出回路３１には、直達波とパルス列を識別するための閾値が設定されており、弾性表面波デバイス２０−１の出力電圧と閾値を比較することで、直達波が入力されたタイミングを検出する。直達波を検出した場合、直達波検出回路３１は、直達波検出信号をタイマ回路３２に出力する。
【００２７】
ここで、直達波とパルス列の時間差およびパルス列全体の時間は、弾性表面波デバイス２０−１〜３の設計により、既知の値をとる。そのため、タイマ回路３２の時間幅設定と遅延線路３３のタイミング設定で、スイッチ３４をパルス列の存在する時間だけ、ＯＮ状態とし、他の時間にはＯＦＦ状態とすることで、不要な直達波がスイッチ３４に到達するタイミングにおいては、スイッチがＯＦＦ状態となり、必要なパルス列がスイッチ３４に到達するタイミングにおいては、スイッチがＯＮ状態となるため、不要な直達波のみが排除され、パルス列が送信信号として増幅器４０に出力される。
具体的には、タイマ回路３２において、直達波検出回路３１から検出信号が入力され、基準信号パルスとデータ信号パルスの組み合わせパルス列の時間幅に設定されたスイッチ制御信号が生成され、遅延線路３３に出力される。スイッチ制御信号は、遅延線路３３において、直達波とパルス列の既知の時間差分だけ遅延され、高周波スイッチ３４に入力される。高周波スイッチ３４は、スイッチ制御信号を入力して、スイッチ制御信号入力時からスイッチ制御信号に設定された時間幅だけ、スイッチをＯＮ状態として、加算器６０から入力する送信信号を増幅器４０に出力する。これにより、増幅器４０で増幅された送信信号がアンテナ５０から受信側のＵＷＢ通信装置１に送信される。
【００２８】
ＵＷＢ通信装置１の受信側においては、アンテナ５０で電波信号を受信し、第１の弾性表面波デバイス及び第２の弾性表面波デバイスに出力する。第１の弾性表面波デバイスは、アンテナ５０からの信号を受けて、データ判定の基準となる基準信号を検出すると、第１の出力信号を出力する。また、第２の弾性表面波デバイスは、アンテナ５０からの信号を受けて、データ信号を検出すると、第２の出力信号を出力する。そして、遅延時間測定部において、第１、第２の弾性表面波デバイスから、第１の出力信号及び第２の出力信号のいずれが先に出力されたかを検出して、検出結果を出力する。データ判定部は、この検出結果を受けて、データ信号が２値論理レベルの第１のレベルか、第２のレベルかを判定する。
このようにして、ＵＷＢ通信装置１の送信側と受信側の間で弾性表面波デバイスを変調回路として利用した通信が行われる。
【００２９】
以上をまとめると、送信側において、パルス発生器１０がパルスを生成し、遅延時間制御部５０を介して、弾性表面波デバイス２０−１〜３に出力する。
弾性表面波デバイス２０−１がデータ判定の基準となる基準信号を出力する。また、弾性表面波デバイス２０−２が、基準信号より所定の時間だけ早く、また弾性表面波デバイス２０−３が、所定の時間だけ遅くデータ信号を出力する。これを加算器６０が加算し、アンテナ５０が放射する。
受信側において、アンテナが信号を受信する。この信号から１の弾性表面波デバイスが基準信号を、他の弾性表面波デバイスがデータ信号を検出すると、第１、第２の出力信号をそれぞれ出力する。遅延時間測定部が、第１の出力信号及び第２の出力信号のいずれが先に入力されたかを検出する。そして、データ判定部が検出結果に基づいて、所定のデータ信号を出力する。
【００３０】
以上説明したように、本実施形態のＵＷＢ通信装置１によれば、複数の弾性表面波デバイスを用いたＵＷＢ通信装置１で問題となる複数の直達波をデータクロック等の複雑な構成を使用せずに、直達波自身をトリガとする回路で時間制度よく取り除くことができ、伝送特性を大幅に改善することができる効果が得られる。
すなわち、遅延時間制御器５０で遅延させる値よりも、直達波とパルス列の時間差を十分に大きくなるように、弾性表面波デバイス２０−１〜３の設計をすることにより、図３に示すように、実施例１に示す直達波抑制用外部回路３０を１系統適用するだけで、複数の弾性表面波デバイス２０−１〜３で発生する直達波を一度に取り除くことができる。
【図面の簡単な説明】
【００３１】
【図１】第１の実施形態のＵＷＢ通信装置１の構成図。
【図２】第１の実施形態のＵＷＢ通信装置１の具体的な回路例を示す構成図。
【図３】第２の実施形態のＵＷＢ通信装置１の構成図。
【符号の説明】
【００３２】
１…ＵＷＢ通信装置
１０…パルス発生器
２０、２０−１〜３…表面弾性波デバイス
３０…直達波抑制用外部回路
３１…直達波検出回路
３２…タイマ回路
３３…遅延線路
３４…高周波スイッチ
４０…増幅器
５０…アンテナ
６０…加算器
【図１】
2005217926.tif 000003
【図２】
2005217926.tif 000004
【図３】
2005217926.tif 000005